(57)【要約】【課題】錘本体の湾曲凹部が障害物に面している状態で釣り糸を引っ張った場合でも、錘本体が回転して錘本体の湾曲凸部が障害物に接し、掛止針が障害物に引っ掛かることがない、根掛かり防止用のルアー用錘を提供する。【解決手段】根掛かり防止用のルアー用錘１０は、比重が１より大きい材料からなる錘本体１１と、錘本体１１の前端１１ｃに設けられた環状糸止め金具１３と、錘本体１１の後端に設けられた鉤状掛止金具１４とを有し、鉤状掛止金具１４には掛止針１６付きのルアー１５が取り付けられている。錘本体１１は、側面視して人の胃袋形状をしている。錘本体１１内には、ステンレス線１７が挿入され、ステンレス線１７の一方の端部は、錘本体１１の前端１１ｃから延出する環状糸止め金具１３とされ、錘本体１１の湾曲凸部１１ｂ側に折れ曲がっている。釣り糸１２と環状糸止め金具１３の接続ポイントが錘本体１１の湾曲凸部１１ｂ側に位置している。【選択図】図１
2011097961.tif 000002
【特許請求の範囲】
【請求項１】
比重が１より大きく、側面視して中間部で湾曲すると共に、平面視して中央が幅広で前側及び後側に徐々に幅の狭くなった錘本体と、前記錘本体の前側に設けられ、釣り糸の先端を結びつける環状糸止め金具と、前記錘本体の後側に設けられ、掛止針付きのルアーを引っ掛ける鉤状掛止金具とを有する根掛かり防止用のルアー用錘において、
前記釣り糸と前記環状糸止め金具の接続ポイントが前記錘本体の湾曲凸部側に位置していることを特徴とする根掛かり防止用のルアー用錘。
【請求項２】
請求項１記載の根掛かり防止用のルアー用錘において、前記鉤状掛止金具は、鉤状に屈曲した部位が前記錘本体の湾曲凹部側に位置していることを特徴とする根掛かり防止用のルアー用錘。
【請求項３】
請求項１又は２記載の根掛かり防止用のルアー用錘において、前記錘本体は、側面視して胃袋形状とされていることを特徴とする根掛かり防止用のルアー用錘。
【請求項４】
請求項１〜３のいずれか１項に記載の根掛かり防止用のルアー用錘において、前記環状糸止め金具は、前記錘本体の前端から延出し、前記錘本体の湾曲凸部側に折れ曲がっていることを特徴とする根掛かり防止用のルアー用錘。
【発明の詳細な説明】
【技術分野】
【０００１】
本発明は、ワームやフライ等のルアーに装着する錘に関し、特に、ルアーや錘が水底等に引っ掛かり難い根掛かり防止用のルアー用錘に関する。
【背景技術】
【０００２】
従来より、池や川もしくは海における魚釣りでは疑似餌が使用されることがあり、ルアーフィッシングと一般に呼ばれている。ルアーフィッシングにおいては、ルアーと呼ばれる各種の疑似餌（例えば、軟質プラスチックを素材とするワームや、釣り針に動物の毛や鳥の羽などを巻き付けて昆虫に見せかけるフライなど）を使用するが（特許文献１参照）、これらルアーをキャスト（投下）した際、そのままでは軽くて飛距離が出ないので、釣り糸とルアーとの間に錘を付けている。
【０００３】
ルアーに錘を付けてルアーを指定の場所にキャストすると、錘の重量でルアーが沈む。ルアーには疑似餌の他、掛止針（釣り針）が装着されており、この掛止針の向きは一定していないので、例えば、掛止針の折り曲げ先部が下を向いている場合には、川底などにある障害物に引っ掛かり易い（即ち、根掛かりし易い）という問題があった。また、従来のルアーは、錘に固定金具等で強固に固定されているので、仮にルアーの交換が可能であるとしても細かな作業が必要で交換しにくいという問題があった。
【０００４】
そこで、特許文献２では、図４に示すように、比重が１より大きい材料からなって、下側が１００〜１５０度の角度で丸みを有して折れ曲がり、平面視して中央が幅広で前側及び後側に徐々に幅の狭くなった錘本体３１と、錘本体３１の前端３１ｃに設けられて、釣り糸１２の先端を結びつける金属製の環状糸止め金具３３と、錘本体３１の後端に設けられ、垂直面内で鉤状に屈曲しその折り曲げた部分が上位置にあって、掛止針１６付きのルアー１５を取り外し可能に止める鉤状掛止金具１４とを有する根掛かり防止用のルアー用錘３０の発明が開示されている。当該発明では、錘本体３１の下側がそのままの姿勢を維持して、回転をすることもなく水中を移動できるので、錘本体３１の後端にある鉤状掛止金具１４は、その折り曲げた部分が上向きとなり、水底にある障害物の他、水中を浮遊する障害物にも根掛かりしにくい。
【先行技術文献】
【特許文献】
【０００５】
【特許文献１】特開２００４−２１５６３５号公報
【特許文献２】実用新案登録第３１４０５５７号公報
【発明の概要】
【発明が解決しようとする課題】
【０００６】
しかしながら、図４に示すように、特許文献２に記載された根掛かり防止用のルアー用錘３０の場合、くの字状になった錘本体３１の湾曲凹部３１ａが木などの障害物２０に面している状態で、環状糸止め金具３３に結びつけられた釣り糸１２を引っ張ると、鉤状掛止金具１４に掛止された掛止針１６の先端部が湾曲凹部３１ａ側を向いているため、掛止針１６の先端部が障害物２０に引っ掛かってしまうということがあった。
【０００７】
本発明はかかる事情に鑑みてなされたもので、錘本体の湾曲凹部が障害物に面している状態で釣り糸を引っ張った場合でも、錘本体が回転して錘本体の湾曲凸部が障害物に接し、掛止針が障害物に引っ掛かることがない、根掛かり防止用のルアー用錘を提供することを目的とする。
【課題を解決するための手段】
【０００８】
上記目的を達成するため、本発明は、比重が１より大きく、側面視して中間部で湾曲すると共に、平面視して中央が幅広で前側及び後側に徐々に幅の狭くなった錘本体と、前記錘本体の前側に設けられ、釣り糸の先端を結びつける環状糸止め金具と、前記錘本体の後側に設けられ、掛止針付きのルアーを引っ掛ける鉤状掛止金具とを有する根掛かり防止用のルアー用錘において、前記釣り糸と前記環状糸止め金具の接続ポイントが前記錘本体の湾曲凸部側に位置していることを特徴としている。
ここで、錘本体から見て釣り糸を結びつけた側を「前側」、ルアーを取り付けている側を「後側」と呼ぶことにする。
【０００９】
図３を用いて本発明の原理について説明する。図３（ａ）、（ｂ）はそれぞれ、錘本体１１、３１の湾曲凹部１１ａ、３１ａ側が障害物２０に面している状態で釣り糸を引っ張ったときの模式図である。この錘本体１１、３１の場合、平面視して中央が幅広で前側及び後側に徐々に幅が狭くなった形状をしているため、釣り糸を引っ張ると、図３のように、錘本体１１、３１は傾き、錘本体１１、３１の側面部が障害物２０と接触する。
本発明に係る根掛かり防止用のルアー用錘の場合、図３（ａ）に示すように、釣り糸（図示省略）と環状糸止め金具１３の接続ポイントＰ、即ち、力Ｆの作用点が錘本体１１の湾曲凸部１１ｂ側に位置しているので、釣り糸を力Ｆで水平方向（図では上方向）に引っ張った場合、錘本体１１と障害物２０との接触点Ｓを支点として、錘本体１１の湾曲凸部１１ｂが障害物２０に接する方向のモーメントＭが発生する。このため、本発明に係る根掛かり防止用のルアー用錘では、錘本体１１の湾曲凹部１１ａが障害物２０に面している状態で釣り糸を引っ張った場合でも、錘本体１１が水平面内で回転して錘本体１１の湾曲凸部１１ｂが障害物２０に接し、掛止針が障害物に引っ掛かることがない。
【００１０】
一方、特許文献２に記載された根掛かり防止用のルアー用錘の場合、図３（ｂ）に示すように、錘本体３１の前端３１ｃの位置に、釣り糸と環状糸止め金具３３の接続ポイントＰが位置しているため、釣り糸（図示省略）を力Ｆで水平方向（図では上方向）に引っ張った場合、接続ポイントＰと、錘本体３１と障害物２０との接触点Ｓは、力Ｆの作用線上に位置することになり、接触点Ｓを支点として、錘本体３１の湾曲凸部３１ｂが障害物２０に接する方向のモーメントＭは発生しない。従って、錘本体３１が回転せず、掛止針が障害物に引っ掛かることになる。
【００１１】
また、本発明に係る根掛かり防止用のルアー用錘では、釣り糸を引っ張った場合、錘本体が水平面内で回転して錘本体の湾曲凸部が障害物に接するため、鉤状掛止金具の鉤状に屈曲した部位は、錘本体の湾曲凹部側に位置していることが好ましい。これにより、鉤状掛止金具が障害物に引っ掛かることがなくなる。なお、本発明では、掛止針の先端部も、錘本体の湾曲凹部側に位置していることを想定している。
【００１２】
また、本発明に係る根掛かり防止用のルアー用錘では、前記錘本体は、側面視して胃袋形状とされていてもよい。
当該構成では、ルアー用錘全体が滑らかに形成されるので、水に対する抵抗が減少し、水を不必要に攪乱することがない。
【００１３】
また、本発明に係る根掛かり防止用のルアー用錘では、前記環状糸止め金具は、前記錘本体の前端から延出し、前記錘本体の湾曲凸部側に折れ曲がっていてもよい。これにより、釣り糸と環状糸止め金具の接続ポイントは、錘本体の湾曲凸部側に位置することになる。
【発明の効果】
【００１４】
本発明に係る根掛かり防止用のルアー用錘では、釣り糸と環状糸止め金具の接続ポイントが錘本体の湾曲凸部側に位置しているので、錘本体の湾曲凹部が障害物に面している状態で釣り糸を引っ張った場合でも、錘本体が回転して錘本体の湾曲凸部が障害物に接し、掛止針が障害物に引っ掛かることはない。
【図面の簡単な説明】
【００１５】
【図１】本発明の一実施の形態に係る根掛かり防止用のルアー用錘の使用状態を示す側面図である。
【図２】同根掛かり防止用のルアー用錘の使用状態を示す平面図である。
【図３】本発明の原理を説明するための説明図であり、（ａ）は本発明に係る根掛かり防止用のルアー用錘、（ｂ）は特許文献２に記載された根掛かり防止用のルアー用錘である。
【図４】特許文献２に記載された発明の問題点を説明するための説明図である。
【発明を実施するための形態】
【００１６】
続いて、添付した図面を参照しつつ、本発明を具体化した実施の形態につき説明し、本発明の理解に供する。
図１及び図２に示すように、本発明の一実施の形態に係る根掛かり防止用のルアー用錘１０は、比重が１より大きい材料（例えば、鉛、鉛合金）からなる錘本体１１と、錘本体１１の前端１１ｃに設けられた環状糸止め金具１３と、錘本体１１の後端に設けられた鉤状掛止金具１４とを有し、鉤状掛止金具１４には掛止針１６付きのルアー１５が取り付けられている。
【００１７】
錘本体１１は、側面視して中間部で丸み１９をもって湾曲し、人の胃袋形状又は上下方向から少し押圧して扁平となった胃袋形状をしている。錘本体１１の湾曲凸部１１ｂは、前側傾斜面２１とこれに丸み１９をもって繋がる下側面２２とを有し、前側傾斜面２１と下側面２２が成す角度αは約１００〜１５０度とされている。また、錘本体１１は、図２に示すように、平面視して前側から中央に向かう角度βは３０〜６０度、平面視して後側から中央に向かう角度γは３０〜５５度となっている。即ち、平面視して中央が幅広で前側及び後側に徐々に幅が狭くなっており、その断面は全体として軸対称の楕円形状（又は扁平形状）となっている。
【００１８】
錘本体１１内には、金属線の一例であるステンレス線１７（鋼線であってもよい。）が、錘本体１１の長手方向に挿入されている。ステンレス線１７の一方の端部は、錘本体１１の前端１１ｃから延出する環状糸止め金具１３とされ、環状糸止め金具１３は錘本体１１の湾曲凸部１１ｂ側に折れ曲がっている。一方、ステンレス線１７の他方の端部は、錘本体１１の後端から延出する鉤状掛止金具１４とされている。
【００１９】
錘本体１１の前端１１ｃに設けられた環状糸止め金具１３は、例えば、短径が１．５〜２．５ｍｍ、長径が２〜３．５ｍｍの長円形（又は楕円状）とされ、直径が例えば、０．９〜１．２ｍｍのステンレス線１７を折り曲げてリング状に形成されている。
【００２０】
一方、錘本体１１の後端に設けられた鉤状掛止金具１４は、ステンレス線１７が錘本体１１の後端から突出し、垂直面内で鉤状に屈曲している。そして、折り曲げた部位が湾曲凹部１１ａ側にあって、更にその先側１４ａは半円状（即ち、円弧状）となって後方（又は上向き）に折り返されている。この鉤状掛止金具１４の鉤出入口２３の開口幅ｗは、鉤状掛止金具１４の内側の幅ｚより狭く（例えば、ｗ＝ｚ／４〜ｚ／２）なって、鉤状掛止金具１４に掛止された掛止針１６が容易に外れないようになっている。なお、本実施の形態においては、鉤状部の曲率半径は１．５〜３．５ｍｍ程度となっている。また、環状糸止め金具１３も、鉤状掛止金具１４と同様、垂直面に沿って曲げられている。
【００２１】
本実施の形態におけるルアー１５は、掛止針１６と、疑似餌の一例であるワーム１８とを備えている。掛止針１６の基端部には、掛止リング２４が設けられている。この掛止リング２４の内径は１．０〜１．５ｍｍ（なお、鉤状掛止金具１４の線径の１．１〜２倍であってもよい。）とされ、鉤状掛止金具１４に着脱可能な構造となっている。また、掛止針１６は、掛止リング２４を除く部分が、垂直面内で鉤状に折り曲げられており、掛止リング２４はこの垂直面と直交する平面内で環状に折り曲げられている。
【００２２】
従って、この掛止針１６を鉤状掛止金具１４に装着した場合、掛止針１６は垂直面内にあって、掛止針１６の先端部は掛止針１６の中心（重心）以下に対して上位にある。
ワーム１８は、本実施の形態では、掛止針１６の基側近くに取り付けられているが、鉤状掛止金具１４に直接装着することもできる。
【００２３】
このようにして組み立てたルアー１５付きの根掛かり防止用のルアー用錘１０の環状糸止め金具１３に釣り糸１２の先端を結びつけて、ルアー１５付きの根掛かり防止用のルアー用錘１０を所定のポイントにキャストする。そして、釣り糸１２を引っ張ると、錘本体１１の前側傾斜面２１が揚力を受け、引っ張る速度が一定値を超えると水中を泳ぐように移動し、ワーム１８もこれに応じて水中を泳ぐことになる。
また、錘本体１１の湾曲凹部１１ａが障害物に面している状態で釣り糸１２を引っ張った場合でも、釣り糸１２と環状糸止め金具１３の接続ポイントＰが錘本体１１の湾曲凸部１１ｂ側に位置しているので、錘本体１１が回転して錘本体１１の湾曲凸部１１ｂが障害物に接し、掛止針１６が障害物に引っ掛かることはない。
【００２４】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記の実施の形態では、環状糸止め金具が錘本体の前端から延出し、錘本体の湾曲凸部側に折れ曲がっているが、環状糸止め金具が錘本体の前側傾斜面から延出していてもよい。要は、釣り糸と環状糸止め金具の接続ポイントが錘本体の湾曲凸部側に位置していればよいのである。
【符号の説明】
【００２５】
１０：根掛かり防止用のルアー用錘、１１：錘本体、１１ａ：湾曲凹部、１１ｂ：湾曲凸部、１１ｃ：前端、１２：釣り糸、１３：環状糸止め金具、１４：鉤状掛止金具、１４ａ：先側、１５：ルアー、１６：掛止針、１７：ステンレス線、１８：ワーム、１９：丸み、２０：障害物、２１：前側傾斜面、２２：下側面、２３：鉤出入口、２４：掛止リング、３０：根掛かり防止用のルアー用錘、３１：錘本体、３１ａ：湾曲凹部、３１ｂ：湾曲凸部、３１ｃ：前端、３３：環状糸止め金具
【図１】
2011097961.tif 000003
【図２】
2011097961.tif 000004
【図３】
2011097961.tif 000005
【図４】
2011097961.tif 000006